(57)【要約】【課題】光ディスク処理装置において、試し書き領域の劣化を遅らせ、光ディスクの使用可能回数を増加させることができる。【解決手段】光ディスク処理装置は、情報を記録するためのレーザ光の発光パワーを最適な発光パワーに設定するＯＰＣ動作を行う都度、試し書き用の記録マークを形成するためのレーザ光の発光パワーを変化させる順番を、発光パワーが順次増大するように変化させるか（図３（ａ）参照）、又は、発光パワーが順次低減するように変化させるか（図３（ｂ）参照）の何れかに、ランダムに設定する。これにより、ＯＰＣ動作で光ディスクの同じ試し書き領域を繰り返して使用するときに、試し書き領域内の同じ位置に常に発光パワーの高いレーザ光が照射されることがなく、発光パワーの高いレーザ光の照射される位置が分散され、その結果、試し書き領域の劣化を遅らせることができる。【選択図】図３
2007035221.tif 000002
【特許請求の範囲】
【請求項１】
書換え可能タイプの光ディスクに所定パワーの光を照射して、周囲と異なる光の反射を起こす記録マークを形成することにより、光ディスクに情報を記録し、また、光ディスクからの反射光を受光して、その反射光強度に応じた読取信号を出力する光ヘッドと、
前記光ヘッドから出力される読取信号の変調度を測定する変調度測定手段と、
前記光ヘッドの情報を記録するための光のパワーを最適なパワーに設定するＯＰＣ動作を行うＯＰＣ手段とを備え、
前記ＯＰＣ手段は、
前記光ヘッドにより、前記光ヘッドの光のパワーを幾つかのパワーに変化させて、試し書き用の記録マークを幾つかの光のパワーで光ディスクの試し書き領域に形成し、その後、前記光ヘッドにより、前記試し書き用の記録マークを形成した領域からの反射光を受光し、このときに前記光ヘッドから出力される読取信号により前記変調度測定手段で測定される変調度と、前記試し書き用の記録マークを形成したときの光のパワーとの関係から、前記光ヘッドの情報を記録するための光の最適なパワーを求める光ディスク処理装置において、
前記ＯＰＣ手段は、前記試し書き用の記録マークを形成するための光のパワーを変化させる順番を以前のＯＰＣ動作時の順番とは異なるように設定するパワー変化順序設定手段を有し、
該パワー変化順序設定手段は、ＯＰＣ動作を行う都度、前記試し書き用の記録マークを形成するための光のパワーを変化させる順番を、光のパワーが順次増大するように変化させるか、又は、光のパワーが順次低減するように変化させるかの何れかに、ランダムに設定することを特徴とする光ディスク処理装置。
【請求項２】
光ディスクに所定パワーの光を照射して、周囲と異なる光の反射を起こす記録マークを形成することにより、光ディスクに情報を記録し、また、光ディスクからの反射光を受光して、その反射光強度に応じた読取信号を出力する光ヘッドと、
前記光ヘッドの情報を記録するための光のパワーを最適なパワーに設定するＯＰＣ動作を行うＯＰＣ手段とを備え、
前記ＯＰＣ手段は、
前記光ヘッドにより、前記光ヘッドの光のパワーを幾つかのパワーに変化させて、試し書き用の記録マークを幾つかの光のパワーで光ディスクの試し書き領域に形成し、その後、前記光ヘッドにより、前記試し書き用の記録マークを形成した領域からの反射光を受光し、このときに前記光ヘッドから出力される読取信号を基に、前記光ヘッドの情報を記録するための光の最適なパワーを求める光ディスク処理装置において、
前記ＯＰＣ手段は、前記試し書き用の記録マークを形成するための光のパワーを変化させる順番を以前のＯＰＣ動作時の順番とは異なるように設定するパワー変化順序設定手段を有することを特徴とする光ディスク処理装置。
【請求項３】
前記パワー変化順序設定手段は、ＯＰＣ動作を行う都度、前記試し書き用の記録マークを形成するための光のパワーを変化させる順番を、光のパワーが順次増大するように変化させるか、又は、光のパワーが順次低減するように変化させるかの何れかに、ランダムに設定することを特徴とする請求項２に記載の光ディスク処理装置。
【請求項４】
前記パワー変化順序設定手段は、ＯＰＣ動作を行う都度、前記試し書き用の記録マークを形成するための光のパワーを変化させる順番をランダムに設定することを特徴とする請求項２に記載の光ディスク処理装置。
【発明の詳細な説明】
【技術分野】
【０００１】
本発明は、例えばＣＤやＤＶＤ等の光ディスクに情報を記録する光ディスク処理装置に関するものである。
【背景技術】
【０００２】
従来から、光ディスク処理装置は、スピンドルモータにより光ディスクを高速で回転させながら、光ヘッドにより光ディスクにレーザ光を照射して、光ディスクに周囲よりも反射率の低い記録マークを形成することにより、光ディスクに情報を記録するようになっている。記録マークは、レーザ光の照射された箇所の記録層材質が相変化を起こすことにより形成される。また、光ディスク処理装置は、スピンドルモータにより光ディスクを高速で回転させながら、光ヘッドにより光ディスクにレーザ光を照射して光ディスクからの反射光を受光し、光ヘッドが光ディスクからの反射光強度に応じた読取信号を出力することにより、光ディスクに記録されている情報を読取るようになっている。
【０００３】
光ヘッドから出力される読取信号は、光ディスクからの反射光強度に依存する。従って、光ヘッドから出力される読取信号は、光ヘッドからのレーザ光が記録マークの形成されていない箇所に照射されているときは、レベルが高く、光ヘッドからのレーザ光が記録マークの形成箇所に照射されているときは、レベルが低くなる。光ディスク処理装置は、このように光ヘッドから出力される読取信号を基に、光ディスクに記録されている情報を再生するようになっている。
【０００４】
ところで、情報を記録するときのレーザ光の発光パワーすなわち記録マークを形成するときの発光パワーが適正でないと、その記録マークを読取ったときの読取信号は、変調度（レーザ光が記録マークの形成されていない箇所に照射されているときの読取信号のレベルに対する、レーザ光が記録マークの形成箇所に照射されているときの読取信号のレベルの値）が低くなる。読取信号の変調度が低くなると、読取信号に含まれる誤りが多くなり、情報の再生を安定して行うことができなくなる。書き換え可能型の光ディスクでは、情報を記録するためのレーザ光の最適な発光パワーは、光ディスクの製造メーカなどによって異なっている。
【０００５】
そこで、このような光ディスク処理装置では、情報を記録するための発光パワーを最適な発光パワーに設定するＯＰＣ（Ｏｐｔｉｍｕｍ  Ｐｏｗｅｒ  Ｃａｌｉｂｒａｔｉｏｎ）動作を行っている。ＯＰＣ動作では、試し書き用の記録マークを幾つかの発光パワーで光ディスクの試し書き領域に形成すると共に、それら試し書き用の記録マークを読取り、そして、試し書き用の記録マークを形成したときの発光パワーと、試し書き用の記録マークを読取ったときに得られる読取信号の変調度との関係から、その光ディスクに予め定められた（光ディスクの製造メーカによって、その光ディスクに最適であると予め定められた）変調度となる発光パワーを求めている。
【０００６】
従来においては、試し書き用の記録マークを形成するときの発光パワーを変化させる順番は、ある一つの順番に決められており、光ディスクの内周側から外周側に向かって発光パワーを順次高くして（又は順次低くして）、幾つかの異なる発光パワーによる試し書き用の記録マークを形成している。つまり、従来においては、ＯＰＣ動作を行う都度、毎回同じ順番で発光パワーを変化させて、幾つかの異なる発光パワーによる試し書き用の記録マークを形成している。
【０００７】
また、ＯＰＣ動作を行うときに、記録レーザパワーが強弱交互の順番となるようにして試し書きを行うことで、隣接する試し書き用の記録マークの境界を容易に判断できるようにし、これにより、１回のＯＰＣ動作で使用する試し書き領域を少なくできるようにした光ディスク処理装置が知られている（例えば特許文献１参照）。また、テスト記録を行うときに、テスト記録に使用する領域をテスト領域内でランダムに設定することにより、テスト領域内の特定の領域が集中して使用されるのを回避するようにした光ディスク処理装置が知られている（例えば特許文献２参照）。
【特許文献１】特開２００３−４５０３２号公報
【特許文献２】特開平８−１２９７５３号公報
【発明の開示】
【発明が解決しようとする課題】
【０００８】
ところで、書き換え可能型の光ディスクでは、一度使用した試し書き領域を再度使用することがある。上述した従来の光ディスク処理装置においては、ＯＰＣ動作を行う都度、毎回同じ順番で発光パワーを変化させて試し書き用の記録マークを形成しているため、書換え可能型光ディスクの一度使用した試し書き領域を再度使用する場合、その試し書き領域内の同じ箇所に発光パワーの高いレーザ光が照射されることになる。さらに、同じ試し書き領域を何度も繰り返して使用する場合には、その試し書き領域内の同じ箇所に常に発光パワーの高いレーザ光が照射されることになる。
【０００９】
書換え可能型光ディスクでは、レーザ光が何度も照射されるほど、また、照射されるレーザ光の発光パワーが高いほど、記録マークを形成するための記録層材質の劣化が進む。記録層材質の劣化が進むと、同じ発光パワーのレーザ光で情報の書き換え（既に形成されている記録マークを消去して再度記録マークを形成する）を行っても、低い変調度しか得られなくなってしまい、その結果、光ディスクが使用できなくなってしまう。
【００１０】
つまり、従来の光ディスク処理装置においては、書換え可能型光ディスクの試し書き領域内の同じ箇所に常に発光パワーの高いレーザ光を照射することになり、その結果、光ディスクの記録層材質の劣化が早まり、光ディスクの使用可能回数が少なくなってしまう。なお、上述した特許文献１及び特許文献２に開示の内容を適用したとしても、上記の課題を解決することはできない。
【００１１】
本発明は、上記課題を解決するためになされたものであり、試し書き領域の劣化を遅らせ、光ディスクの使用可能回数を増加させることができる光ディスク処理装置を提供することを目的とする。
【課題を解決するための手段】
【００１２】
上記目的を達成するために請求項１の発明は、書換え可能タイプの光ディスクに所定パワーの光を照射して、周囲と異なる光の反射を起こす記録マークを形成することにより、光ディスクに情報を記録し、また、光ディスクからの反射光を受光して、その反射光強度に応じた読取信号を出力する光ヘッドと、前記光ヘッドから出力される読取信号の変調度を測定する変調度測定手段と、前記光ヘッドの情報を記録するための光のパワーを最適なパワーに設定するＯＰＣ動作を行うＯＰＣ手段とを備え、前記ＯＰＣ手段は、前記光ヘッドにより、前記光ヘッドの光のパワーを幾つかのパワーに変化させて、試し書き用の記録マークを幾つかの光のパワーで光ディスクの試し書き領域に形成し、その後、前記光ヘッドにより、前記試し書き用の記録マークを形成した領域からの反射光を受光し、このときに前記光ヘッドから出力される読取信号により前記変調度測定手段で測定される変調度と、前記試し書き用の記録マークを形成したときの光のパワーとの関係から、前記光ヘッドの情報を記録するための光の最適なパワーを求める光ディスク処理装置において、前記ＯＰＣ手段は、前記試し書き用の記録マークを形成するための光のパワーを変化させる順番を以前のＯＰＣ動作時の順番とは異なるように設定するパワー変化順序設定手段を有し、該パワー変化順序設定手段は、ＯＰＣ動作を行う都度、前記試し書き用の記録マークを形成するための光のパワーを変化させる順番を、光のパワーが順次増大するように変化させるか、又は、光のパワーが順次低減するように変化させるかの何れかに、ランダムに設定するものである。
【００１３】
請求項２の発明は、光ディスクに所定パワーの光を照射して、周囲と異なる光の反射を起こす記録マークを形成することにより、光ディスクに情報を記録し、また、光ディスクからの反射光を受光して、その反射光強度に応じた読取信号を出力する光ヘッドと、前記光ヘッドの情報を記録するための光のパワーを最適なパワーに設定するＯＰＣ動作を行うＯＰＣ手段とを備え、前記ＯＰＣ手段は、前記光ヘッドにより、前記光ヘッドの光のパワーを幾つかのパワーに変化させて、試し書き用の記録マークを幾つかの光のパワーで光ディスクの試し書き領域に形成し、その後、前記光ヘッドにより、前記試し書き用の記録マークを形成した領域からの反射光を受光し、このときに前記光ヘッドから出力される読取信号を基に、前記光ヘッドの情報を記録するための光の最適なパワーを求める光ディスク処理装置において、前記ＯＰＣ手段は、前記試し書き用の記録マークを形成するための光のパワーを変化させる順番を以前のＯＰＣ動作時の順番とは異なるように設定するパワー変化順序設定手段を有するものである。
【００１４】
請求項３の発明は、請求項２に記載の光ディスク処理装置において、前記パワー変化順序設定手段は、ＯＰＣ動作を行う都度、前記試し書き用の記録マークを形成するための光のパワーを変化させる順番を、光のパワーが順次増大するように変化させるか、又は、光のパワーが順次低減するように変化させるかの何れかに、ランダムに設定するものである。
【００１５】
請求項４の発明は、請求項２に記載の光ディスク処理装置において、前記パワー変化順序設定手段は、ＯＰＣ動作を行う都度、前記試し書き用の記録マークを形成するための光のパワーを変化させる順番をランダムに設定するものである。
【発明の効果】
【００１６】
請求項１の発明によれば、試し書き用の記録マークを形成するための光のパワーを変化させる順番が、ＯＰＣ動作を行う都度、以前のＯＰＣ動作時の順番と異なるように設定されるため、ＯＰＣ動作で光ディスクの同じ試し書き領域を繰り返して使用するときに、試し書き領域内の同じ位置に常にパワーの高い光が照射されることがなく、パワーの高い光の照射される位置が分散され、その結果、試し書き領域の劣化を遅らせることができ、光ディスクの使用可能回数を増加させることができる。しかも、パワーを変化させる順番が、ＯＰＣ動作を行う都度、光のパワーを順次増大させるか又は順次低減させるかの何れかにランダムに選択されるため、ＯＰＣ動作で光ディスクの同じ試し書き領域を何度も繰り返して使用するときに、光のパワーを順次増大させて試し書き用の記録マークを形成する回数と光のパワーを順次低減させて試し書き用の記録マークを形成する回数が略同じになり、試し書き領域内の各位置に照射される光のパワーの総量が略均等化され、その結果、試し書き領域の劣化をより一層遅らせることができ、光ディスクの使用可能回数をより一層増加させることができる。
【００１７】
請求項２の発明によれば、試し書き用の記録マークを形成するための光のパワーを変化させる順番が、ＯＰＣ動作を行う都度、以前のＯＰＣ動作時の順番と異なるように設定されるため、ＯＰＣ動作で光ディスクの同じ試し書き領域を繰り返して使用するときに、試し書き領域内の同じ位置に常にパワーの高い光が照射されることがなく、パワーの高い光の照射される位置が分散され、その結果、試し書き領域の劣化を遅らせることができ、光ディスクの使用可能回数を増加させることができる。
【００１８】
請求項３の発明によれば、試し書き用の記録マークを形成するための光のパワーを変化させる順番が、ＯＰＣ動作を行う都度、光のパワーを順次増大させるか又は順次低減させるかの何れかにランダムに選択されるため、ＯＰＣ動作で光ディスクの同じ試し書き領域を何度も繰り返して使用するときに、光のパワーを順次増大させて試し書き用の記録マークを形成する回数と光のパワーを順次低減させて試し書き用の記録マークを形成する回数が略同じになり、試し書き領域内の各位置に照射される光のパワーの総量が略均等化され、その結果、試し書き領域の劣化をより一層遅らせることができ、光ディスクの使用可能回数をより一層増加させることができる。
【００１９】
請求項４の発明によれば、試し書き用の記録マークを形成するための光のパワーを変化させる順番が、ＯＰＣ動作を行う都度、ランダムに設定されるため、光ディスクの同じ試し書き領域を何度も繰り返して使用するときに、パワーの高い光の照射される位置が試し書き領域内で略均等に分散されると共に、試し書き領域内の各位置に照射される光のパワーの総量が略均等化され、その結果、試し書き領域の劣化をより一層遅らせることができ、光ディスクの使用可能回数をより一層増加させることができる。
【発明を実施するための最良の形態】
【００２０】
以下、本発明を具体化した実施形態による光ディスク処理装置について図面を参照して説明する。図１は、光ディスク処理装置の構成を示す。光ディスク処理装置１は、ＣＤやＤＶＤ等の光ディスク２に対して情報の記録、再生を行う装置である。この光ディスク処理装置１は、光ディスク２として、書き換え可能型のディスクを扱うようになっており、書き換え可能型の光ディスク２に対して情報の記録、再生を行うようになっている。また、この光ディスク処理装置１は、光ディスク２に情報を記録するための光の発光パワーを最適なパワーに設定するＯＰＣ（Ｏｐｔｉｍｕｍ  Ｐｏｗｅｒ  Ｃａｌｉｂｒａｔｉｏｎ）動作を行うようになっている。
【００２１】
光ディスク処理装置１は、光ディスク処理装置１を制御するためのＣＰＵ等からなる制御部（ＯＰＣ手段）１１と、ディスクセンサ１２と、スピンドルモータ１３と、シークモータ１４と、光ヘッド１５と、レーザ駆動部１６と、映像／音声エンコーダ１７と、記録信号変調処理部１８と、読取信号復調処理部１９と、映像／音声デコーダ２０と、変調度測定部２１と、最適γ値記憶部２２と、試し書きパワー記憶部２３と、ＲＡＭ２４と、リモコン２５と、リモコン受信部２６とを備える。
【００２２】
ディスクセンサ１２は、光ディスク２がディスク挿入部（不図示）から挿入されたことを検出し、その信号を制御部１１へ入力する。ディスク挿入部に挿入された光ディスク２は、スピンドルモータ１３に装着される。スピンドルモータ１３は、制御部１１による制御のもと回転駆動されて、装着された光ディスク２を回転させる。シークモータ１４は、リニアモータから成り、制御部１１による制御のもと、光ヘッド１５を光ディスク２の半径方向に移動（シーク動作）させる。
【００２３】
光ヘッド１５は、スピンドルモータ１３により回転される光ディスク２にレーザ光を照射して、光ディスク２に周囲よりも反射率の低い記録マークを形成することにより、光ディスク２に情報を記録する。記録マークは、レーザ光の照射された箇所の記録層材質が相変化を起こすことにより形成され、情報は、記録しようとする情報に応じて多数の記録マークが配列して形成されることにより記録される。
【００２４】
また、光ヘッド１５は、スピンドルモータ１３により回転される光ディスク２にレーザ光を照射して、光ディスク２からの反射光を受光し、その反射光強度に応じた電圧レベルの読取信号を出力することにより、光ディスク２に記録されている情報を読取る。
【００２５】
光ヘッド１５から出力される読取信号は、光ディスク２からの反射光強度に依存する。従って、光ヘッド１５から出力される読取信号は、光ヘッド１５からのレーザ光が記録マークの形成されていない箇所に照射されているときは、電圧レベルが高く、光ヘッド１５からのレーザ光が記録マークの形成箇所に照射されているときは、電圧レベルが低くなる。情報が記録された光ディスク２には、多数の記録マークが形成されており、また、情報の読取時には、光ディスク２が高速で回転している。従って、光ディスク２からの情報読取時に光ヘッド１５から出力される読取信号は、記録マークの有無に応じて電圧レベルが変化し、高周波成分を持ったＲＦ（Ｒａｄｉｏ  Ｆｒｅｑｕｅｎｃｙ）信号となる。
【００２６】
レーザ駆動部１６は、制御部１１による制御のもと、光ヘッド１５から出射するレーザ光の発光パワー及び発光タイミングを制御する。光ディスク２から情報を読取るときに光ヘッド１５から出射されるレーザ光の発光パワーは、光ディスク２に情報を記録するときの発光パワーよりも弱められ、光ディスク２の材質が相変化を起こさない発光パワーとされる。
【００２７】
映像／音声エンコーダ１７は、不図示のテレビ放送受像機等の外部装置から入力される映像信号及び音声信号を、光ディスク２に情報を記録するための記録信号に符号化する。記録信号変調処理部１８は、映像／音声エンコーダ１７により符号化された記録信号を変調する。光ヘッド１５による光ディスク２への情報の記録は、記録信号変調処理部１８で変調された記録信号を基に、制御部１１によってスピンドルモータ１３、シークモータ１４、及びレーザ駆動部１６が制御されることにより行われる。
【００２８】
読取信号復調処理部１９は、光ヘッド１５から出力される読取信号を復調することにより、光ディスク２に記録されている記録信号（情報）を再生する。光ヘッド１５による光ディスク２からの情報の読取は、制御部１１によってスピンドルモータ１３、シークモータ１４、及びレーザ駆動部１６が制御されることにより行われる。映像／音声デコーダ２０は、読取信号復調処理部１９により復調された再生信号（記録信号）を映像信号及び音声信号に復号して、不図示のディスプレイ及びスピーカに出力する。
【００２９】
変調度測定部２１は、光ヘッド１５から出力される読取信号の変調度を測定する。「変調度」とは、光ヘッド１５からのレーザ光が光ディスク２の記録マークの形成されていない箇所に照射されているときの読取信号のレベルに対する、光ヘッド１５からのレーザ光が光ディスク２の記録マークの形成箇所に照射されているときの読取信号のレベルの値である。つまり、「変調度」とは、記録マークが形成されていない箇所からの反射光強度に対する、記録マークが形成されている箇所からの反射光強度の値に相当する。
【００３０】
最適γ値記憶部２２は、各製造メーカの光ディスク２の最適γ値を各製造メーカＩＤと対応付けて予め記憶している。「γ値」とは、光ディスク２に記録マークを形成するときのレーザ光の発光パワーと、その発光パワーで形成した記録マークを読取ったときの変調度との相関関係を示すパラメータであり、発光パワーの違いに対する変調度の変化率を示している。「最適γ値」とは、光ディスク２に記録マークを形成するレーザ光の発光パワーが最適な発光パワーであるとき（記録マークを読取ったときの変調度が最適な変調度になるとき）のγ値である。最適γ値は、各製造メーカの光ディスク２毎に異なっている。
【００３１】
試し書きパワー記憶部２３は、試し書き用の記録マークを形成するためのレーザ光の発光パワーの値として、Ｐ１、Ｐ２、・・・、Ｐ９、Ｐ１０の１０段階の異なる値を予め記憶している。光ディスク処理装置１は、光ディスク２に情報を記録するときのレーザ光の発光パワーを最適な発光パワーに設定するＯＰＣ動作を行うようになっている。「試し書き用の記録マーク」とは、このＯＰＣ動作において最適な発光パワーを求めるために、光ディスク２の試し書き領域に形成する記録マークのことである。ＯＰＣ動作の詳細については後述する。ＲＡＭ２４は、制御部１１による制御のもと、ＯＰＣ動作により設定された最適な発光パワーの値を記憶する。
【００３２】
リモコン２５は、光ディスク２からの情報の記録、再生等、光ディスク処理装置１の各種動作を指示するためにユーザにより操作されるものである。リモコン２５は、光ディスク処理装置１の各種動作を指示するためにユーザに操作される各種操作キーを備えており、各種操作キーが操作されることにより、その操作に対応付けられた赤外線信号を送出する。リモコン受信部２６は、リモコン２５から送出される赤外線信号を受信して電気信号に変換し、リモコン２５の操作に対応する信号を制御部１１へ出力する。
【００３３】
制御部１１は、リモコン受信部２６からの出力信号を基にリモコン２５の操作による指示内容を判断すると共に、ディスクセンサ１２からの検出出力を基に光ディスク２の挿入有無を判断する。そして、制御部１１は、それらリモコン２５の操作による指示内容及び光ディスク２の挿入有無に基づいて、光ディスク２に対する情報の記録、再生等、光ディスク処理装置１の各種動作を制御する。
【００３４】
また、制御部１１は、光ディスク２に情報を記録するためのレーザ光の発光パワーを最適な発光パワーに設定するＯＰＣ動作を制御する。ＯＰＣ動作は、以下の一連の動作から成り立っている。（１）試し書き用の記録マークを幾つかの異なる発光パワーで光ディスク２の試し書き領域に形成する。このとき、試し書き用の記録マークを形成するための発光パワーを変化させる順番を、以前のＯＰＣ動作時の順番とは異なるように設定する。（２）それら試し書き用の記録マークを読取ったときの変調度を測定し、「試し書き用の記録マークを形成したときの発光パワー」に対する「試し書き用の記録マークを読取ったときの変調度」の関係を求める。（３）それら「発光パワー」に対する「変調度」の関係から、その光ディスク２の製造メーカによって最適であると予め定められた変調度（最適γ値）となる発光パワーを求め、その発光パワーを情報を記録するための最適な発光パワーとして設定する。
【００３５】
図２は、上記光ディスク処理装置１のＯＰＣ動作のフローチャートを示す。ＯＰＣ動作では、まず、制御部１１は、光ヘッド１５により光ディスク２のＬａｎｄ  Ｐｒｅ  Ｐｉｔ情報を読取って、光ディスク２から光ディスク２の製造メーカＩＤを取得し（＃１）、その製造メーカＩＤを基に、最適γ値記憶部２２から該当する製造メーカの最適γ値を読出す（＃２）。
【００３６】
続いて、制御部１１は、試し書きパワー記憶部２３に記憶されている１０段階の異なる発光パワーの値（Ｐ１、Ｐ２、・・・、Ｐ９、Ｐ１０）を基に、試し書き用の記録マークを形成するためのレーザ光の発光パワーを変化させる順番を、発光パワーが順次増大するように変化させるか、又は、発光パワーが順次低減するように変化させるかの何れかに、ランダムに設定する（＃３）。このように設定することにより、試し書き用の記録マークを形成するための発光パワーを変化させる順番は、以前のＯＰＣ動作時の順番とは異なるようになる。
【００３７】
そして、制御部１１は、上記＃３で設定した順番で光ヘッド１５のレーザ光の発光パワーを変化させて、光ヘッド１５により試し書き用の記録マークを光ディスク２の試し書き領域に形成する（＃４）。このとき、試し書き用の記録マークは、光ディスク２の内周側にから外周側に向かって形成される。従って、試し書き領域に照射されるレーザ光のパワーは、上記＃３で発光パワーが順次増大するように設定された場合には、図３（ａ）に示すように、光ディスク２の内周側から外周側に向かってＰ１、Ｐ２、・・・、Ｐ９、Ｐ１０の順に順次高くなり、上記＃３で発光パワーが順次低減するように設定された場合には、図３（ｂ）に示すように、光ディスク２の内周側から外周側に向かってＰ１０、Ｐ９、・・・、Ｐ２、Ｐ１の順次低くなる。
【００３８】
その後、制御部１１は、光ヘッド１５により試し書き用の記録マークを形成した試し書き領域を読取る（＃５）。これにより、光ヘッド１５から、試し書き用の記録マークを読取ったときの読取信号が出力され、変調度測定部２１により、試し書き用の記録マークを読取ったときの変調度が測定される。
【００３９】
そして、制御部１１は、「試し書き用の記録マークを形成したときの発光パワー」に対する「試し書き用の記録マークを読取ったときの変調度」の関係を求め、その関係から、γ値（γ値とは、発光パワーの違いに対する変調度の変化率を示す値）が上記＃２で読出した最適γ値となるときの発光パワーを求める（＃６）。最後に、制御部１１は、上記＃６で求めた発光パワーを情報記録時の最適な発光パワーとして、その値をＲＡＭ２４に設定する（＃７）。
【００４０】
このようなＯＰＣ動作は、光ディスク処理装置１に光ディスク２が挿入されたときや、光ディスク２に情報の記録を開始する直前（例えばリモコン２５による記録指示がなされたときやタイマ予約により記録開始するとき等）に行われ、ＯＰＣ動作により設定された発光パワーで光ディスク２への情報の記録動作が行われる。
【００４１】
このような構成の光ディスク処理装置１によれば、試し書き用の記録マークを形成するためのレーザ光の発光パワーを変化させる順番は、ＯＰＣ動作を行う都度、以前のＯＰＣ動作時の順番と異なるように設定される。従って、ＯＰＣ動作で光ディスク２の同じ試し書き領域を繰り返して使用するときに、試し書き領域内の同じ位置に常にパワーの高いレーザ光が照射されることがなく、その結果、試し書き領域の劣化を遅らせることができ、光ディスク２の使用可能回数を増加させることができる。
【００４２】
しかも、発光パワーを変化させる順番は、ＯＰＣ動作を行う都度、発光パワーを順次増大させるか又は順次低減させるかの何れかにランダムに設定されるため、ＯＰＣ動作で光ディスク２の同じ試し書き領域を何度も繰り返して使用するときに、発光パワーを順次増大させて試し書き用の記録マークを形成する回数と発光パワーを順次低減させて試し書き用の記録マークを形成する回数が略同じになる。従って、ＯＰＣ動作で光ディスク２の同じ試し書き領域を何度も繰り返して使用するときに、試し書き領域内の各位置に照射されるレーザ光のパワーの総量が略均等化され、その結果、試し書き領域の劣化をより一層遅らせることができ、光ディスク２の使用可能回数をより一層増加させることができる。
【００４３】
なお、本発明は、上記実施形態の構成に限られず、種々の変形が可能である。例えば、上記実施形態において、ＯＰＣ動作時に試し書き用の記録マークを形成するためのレーザ光の発光パワーを変化させる順番は、ＯＰＣ動作を行う都度、発光パワーを順次増大するように変化させるか又は発光パワーを順次低減するように変化させるかの何れかにランダムに設定することに代えて、ＯＰＣ動作を行う都度、発光パワーを変化させる順番をランダムに設定するようにしてもよい。すなわち、ＯＰＣ動作を行う都度、Ｐ１、Ｐ２、・・・、Ｐ９、Ｐ１０の１０段階の異なる発光パワーをランダムに並べて、そのランダムに並べた順番で発光パワーを変化させて試し書き用の記録マークを形成するようにしてもよい。
【００４４】
このようにしても、上記実施形態と同様に、試し書き用の記録マークを形成するための発光パワーを変化させる順番は、以前のＯＰＣ動作時の順番とは異なるようになり、ＯＰＣ動作で光ディスク２の同じ試し書き領域を繰り返して使用するときに、試し書き領域内の同じ位置に常にパワーの高いレーザ光が照射されることがない。また、このようにすれば、光ディスク２の同じ試し書き領域を何度も繰り返して使用するときに、パワーの高い光の照射される位置が試し書き領域内で略均等に分散されると共に、試し書き領域内の各位置に照射される光のパワーの総量が略均等化され、その結果、試し書き領域の劣化をより一層遅らせることができ、光ディスクの使用可能回数をより一層増加させることができる。
【００４５】
また、ＯＰＣ動作時に試し書き用の記録マークを形成するためのレーザ光の発光パワーを変化させる順番は、ＯＰＣ動作を行う都度、発光パワーを順次増大するように変化させるか又は発光パワーを順次低減するように変化させるかの何れかにランダムに設定することに代えて、ＯＰＣ動作を行う都度、発光パワーを順次増大するように変化させる場合と発光パワーを順次低減するように変化させる場合とに交互に設定するようにしてもよい。このようにしても、上記実施形態と同様に、試し書き用の記録マークを形成するための発光パワーを変化させる順番は、以前のＯＰＣ動作時の順番とは異なるようになり、ＯＰＣ動作で光ディスク２の同じ試し書き領域を繰り返して使用するときに、試し書き領域内の同じ位置に常にパワーの高いレーザ光が照射されることがない。
【００４６】
また、本発明の光ディスク処理装置１は、光ディスク２として、少なくとも書換え可能型のディスクに対して情報の記録を行うものであればよく、書き換え可能型のディスクに加え、追記型のディスクに対して情報の記録、再生を行うものであってもよい。
【図面の簡単な説明】
【００４７】
【図１】本発明の一実施形態に係る光ディスク処理装置の概略構成を示す電気的ブロック構成図。
【図２】同光ディスク処理装置のＯＰＣ動作を示すフローチャート。
【図３】同光ディスク処理装置のＯＰＣ動作において試し書き領域内の各位置に照射されるレーザ光のパワーを示す図であり、（ａ）はレーザ光の発光パワーが順次増大するように設定された場合の図、（ｂ）はレーザ光の発光パワーが順次低減するように設定された場合の図。
【符号の説明】
【００４８】
１    光ディスク処理装置
２    光ディスク
１１    制御部（ＯＰＣ手段）
１２    ディスクセンサ
１３    スピンドルモータ
１４    シークモータ
１５    光ヘッド
１６    レーザ駆動部
１７    映像／音声エンコーダ
１８    記録信号変調処理部
１９    読取信号復調処理部
２０    映像／音声デコーダ
２１    変調度測定部
２２    最適γ値記憶部
２３    試し書きパワー記憶部
２４    ＲＡＭ
２５    リモコン
２６    リモコン受信部
【図１】
2007035221.tif 000003
【図２】
2007035221.tif 000004
【図３】
2007035221.tif 000005